(57)【特許請求の範囲】
【請求項１】
少なくともリパーゼを含む天然植物性酵素を水に混合して作成された酵素水を石油系炭化水素油と混合反応させて燃料油を製造する
燃料製造方法。
【請求項２】
前記天然植物性酵素は、セルラーゼをさらに有する
請求項１記載の燃料製造方法。
【請求項３】
前記酵素水は、さらにメタノールが混合されている
請求項１または２記載の燃料製造方法。
【請求項４】
前記酵素水と前記石油系炭化水素油を混合反応させる際、複数のピンを内部に有する円錐状の攪拌器内に前記酵素水および前記油を竜巻状に通過させる
請求項１から３のいずれか１つに記載の燃料製造方法。
【請求項５】
前記燃料油から残渣を取り除き精製燃料油を製造する
請求項１から４のいずれか１つに記載の燃料製造方法。
【請求項６】
水に少なくともリパーゼを含む天然植物性酵素を混合した酵素水を分解反応層で石油系炭化水素油に反応させて燃料油を製造する燃料製造装置であって、
前記分解反応層内に、円錐状の内面に複数のピンが立設され、前記酵素水と前記石油系炭化水素油の流入口が該円錐状の基部側の側面に設けられ、前記酵素水と前記石油系炭化水素油の流出口が該円錐状の頂点部または基部中心のいずれか一方に設けられた攪拌器を備えた
燃料製造装置。
【請求項７】
前記攪拌器の流入口は、前記酵素水と前記石油系炭化水素油の流入方向が前記円錐状の円中心から偏心するように偏心配置された
請求項６記載の燃料製造装置。
【請求項８】
前記分解反応層により製造した燃料油から残渣を取り除いて精製燃料油を製造する残渣除去部を備えた
請求項６または７記載の燃料製造装置。
【発明の詳細な説明】
【技術分野】
【０００１】
この発明は、例えば燃料効率がよく環境破壊も防止できるような燃料油を製造する燃料製造方法および燃料製造装置に関する。
【背景技術】
【０００２】
人類は、化石燃料、バイオエネルギー、太陽光エネルギーといった様々なエネルギーを使用している。このエネルギーの中でも化石燃料は、古くから使用されており、世界中で使用されている。このため、化石燃料は貴重である。
【０００３】
一方、近年、エネルギーによる環境破壊が問題となっている。そして、化石燃料は、有毒ガスの元である硫黄分、窒素分、フェノール分が含まれており、環境破壊に繋がることが知られている。また、ＣＯ２の発生による地球温暖化の対策も急務である。
【０００４】
この環境破壊を防止若しくは抑制するために、化石燃料の使用により発生する有毒ガスを削減することや、燃料効率を高めることが有効である。
【０００５】
このような技術として、油中水滴型エマルジョン燃料用乳化剤が提案されている（特許文献１参照）。この油中水滴型エマルジョン燃料用乳化剤は、Ａ重油、Ｂ重油、Ｃ重油、メタノール、デキストリン、および水を成分としており、石油燃料と水に添加混合して石油エマルジョン燃料を製造するものである。これにより、燃焼効率を改善し、窒素酸化物やばいじん等の有毒廃棄物の発生を防止できるとされている。
【０００６】
また、Ａ重油、Ｂ重油、Ｃ重油、メタノール、エタノール、パーム油、および水を成分とする油中水滴型エマルジョン燃料も提案されている（特許文献２参照）。この油中水滴型エマルジョン燃料も、燃料効率の改善と有毒廃棄物の発生の減少を図れるとされている。
【先行技術文献】
【特許文献】
【０００７】
【特許文献１】特開平４−７１１１８号公報
【特許文献２】特開２００９−９１５９３号公報
【発明の概要】
【発明が解決しようとする課題】
【０００８】
しかし、上述した両先行技術は、いずれも製造された油中水滴型エマルジョン燃料の安定性に欠けるという問題点があった。すなわち、油中水滴型エマルジョン燃料は、攪拌混合されたものであるため、パイプライン等によって搬送する場合、途中で油水分離する問題や失火トラブルに繋がる問題が残っていた。
【０００９】
この発明は、上述した問題に鑑み、燃料効率を向上でき、有害物質の発生を抑制するのが容易であり、しかも安定している燃料製造方法および燃料製造装置を提供し、利用者の満足度を向上させ、あわせて環境破壊防止に貢献することを目的とする。
【課題を解決するための手段】
【００１０】
この発明は、少なくともリパーゼを含む天然植物性酵素を水に混合して作成された酵素水を石油系炭化水素油と混合反応させて燃料油を製造する燃料製造方法であることを特徴とする。  
これにより、反応した水も燃料として機能するため、燃費効率を向上することができる。
【００１１】
この発明の態様として、前記天然植物性酵素は、好ましくはセルラーゼをさらに有することができる。  
また、前記酵素水は、さらにメタノールを混合することができる。
【００１２】
またこの発明の態様として、前記酵素水と前記石油系炭化水素油を混合反応させる際、複数のピンを内部に有する円錐状の攪拌器内に前記酵素水および前記油を竜巻状に通過させることができる。  
これにより、酵素水と油の反応を促進することができる。
【００１３】
またこの発明の態様として、前記燃料油から残渣を取り除き精製燃料油を製造することができる。これにより、不純物を取り除き純度の高い精製燃料油を得ることができる。
【００１４】
またこの発明は、水に少なくともリパーゼを含む天然植物性酵素を混合した酵素水を分解反応層で石油系炭化水素油に反応させて燃料油を製造する燃料製造装置であって、前記分解反応層内に、円錐状の内面に複数のピンが立設され、前記酵素水と前記石油系炭化水素油の流入口が該円錐状の基部側の側面に設けられ、前記酵素水と前記石油系炭化水素油の流出口が該円錐状の頂点部または基部中心のいずれか一方に設けられた攪拌器を備えた燃料製造装置とすることができる。  
これにより、反応した水も燃料として機能する燃費効率の高い燃料油を製造することができる。
【００１５】
この発明の態様として、前記攪拌器の流入口は、前記酵素水と前記石油系炭化水素油の流入方向が前記円錐状の円中心から偏心するように偏心配置されることができる。  
これにより、攪拌器の内部で液体を容易に回転させることができ、竜巻状に攪拌することを容易に実現できる。
【００１６】
またこの発明の態様として、前記分解反応層により製造した燃料油から残渣を取り除いて精製燃料油を製造する残渣除去部を備えることができる。  
これにより、不純物を取り除き純度の高い精製燃料油を得ることができる。  
さらにこの発明の態様として、少なくともリパーゼを含む天然植物性酵素を水に混合して作成された酵素水を石油系炭化水素油と混合反応させて製造した燃料油とすることもできる。
【発明の効果】
【００１７】
この発明により、燃料効率を向上でき、有害物質の発生を抑制するのが容易であり、しかも安定している燃料油を製造する燃料製造方法および燃料製造装置を提供し、利用者の満足度を向上させ、あわせて環境破壊防止に貢献することができる。
【図面の簡単な説明】
【００１８】
【図１】酵素水を製造する酵素水製造装置の構成図。
【図２】燃料製造装置の構成図。
【図３】攪拌タンクの構成を示す構成図。
【図４】攪拌器の構成を説明する説明図。
【図５】攪拌器の内部を示す縦断面図。
【図６】パルスフィルタと精密フィルタの構成を説明する説明図。
【図７】ニュートン分離槽の縦断面図。
【図８】精製燃料油の特徴を説明する説明図。
【図９】別の実施例の攪拌器を示す縦断面図。
【発明を実施するための形態】
【００１９】
この発明の一実施形態を以下図面と共に説明する。  
【実施例】
【００２０】
図１は、酵素水を製造する酵素水製造装置１の構成図である。
【００２１】
酵素水製造装置１は、複数の混合槽１１（１１ａ〜１１ｄ）と、安定化槽１４と、各槽に空気を送り込むブロワーポンプ１５と、各槽間で液体を移動させるポンプＰと、その移動の際に不純物などを除去するフィルタＦとで構成されている。
【００２２】
混合槽１１ａ〜１１ｄは、図示上下に２系統設けられており、両系統とも、混合槽１１ａ，１１ｂ，１１ｃ，１１ｄの順にポンプＰとフィルタＦとで接続されている。
【００２３】
混合槽１１ａには、軟水と酵素粉末（例えばＥＰ−１０）とが供給され、この軟水と酵素粉末がブロワーポンプ１５から供給される空気によって攪拌混合される。水と酵素粉末の比率は、例えば軟水９９．９５％（重量比）に対して酵素粉末０．０５％（重量比）程度とすることが好ましい。また、この酵素粉末を構成する酵素は、植物由来の酵素（天然植物性酵素）を用いることが好ましく、特に果物由来の酵素を用いることが好ましい。さらに、酵素は、リパーゼを主原料とすることが好ましく、リパーゼとセルラーゼで構成することがさらに好ましい。また、酵素は、二価酸化鉄を含むことが好ましい。また、酵素は、リパーゼを９８％（重量比）、セルラーゼを２％（重量比）とすることがより好ましい。これらの酵素は、マンゴー、アボカド、パイナップル、ノニ、サジー等の果物から抽出することができる。また、酵素粉末は、このような酵素を熱乾燥させた粉末とし、保存性を高めて用いることが好ましい。
【００２４】
この混合水は、一定時間経過後にポンプＰによって次の混合槽１１ｂへ移動される。この移動の際、フィルタＦで不純物が取り除かれる。そして、混合槽１１ｂでは、再度ブロワーポンプ１５から供給される空気によって攪拌混合される。これを混合槽１１ｄまで繰り返したのち、安定化槽１４にてアルコールが添加される。このアルコールは、例えばメタノールやエタノールとすることができ、メタノールを用いることが好ましい。このアルコールの配合率は、例えば混合水に対してメタノール１０％〜２０％（重量比）程度とすることが好ましい。
【００２５】
アルコールが添加された精製酵素水は、安定化槽１４からポンプＰにより取り出される。その際、３つのフィルタＦにより不純物が取り除かれる。取り出された精製酵素水は、適宜の容器に移す、あるいは、次の図２に示す燃料製造装置２の酵素水タンク２２に貯留する。
【００２６】
図２は、燃料製造装置２の構成図を示す。  
燃料製造装置２は、油を貯留する油貯留部としての原料油タンク２１、酵素水を貯留する酵素水貯留部としての酵素水タンク２２、２つの攪拌タンク２３、制御盤２４、パルス付与部２５、ニュートン分離槽２６、分離タンク２７、精密フィルタ部２８、完成タンク２９、および排液タンク３０により構成されている。
【００２７】
原料油タンク２１は、原料となる油を貯留するタンクであり、貯留している原料油を必要量ずつ攪拌タンク２３へパイプＲを通じて注ぎ込む。原料油は、例えばＡ重油、Ｂ重油、Ｃ重油、軽油、灯油等とすることができ、この実施例ではＡ重油を用いる。
【００２８】
酵素水タンク２２は、酵素水製造装置１で精製した酵素水を貯留するタンクであり、貯留している酵素水を必要量ずつ攪拌タンク２３へパイプＲを通じて注ぎ込む。
【００２９】
攪拌タンク２３は、注ぎ込まれた原料油（この例ではＡ重油）と酵素水を攪拌して反応させて燃料油を製造するタンクである。ここでの反応は、酵素による原料油の加水分解反応である。この攪拌タンク２３に注ぎ込む原料油と酵素水の比率は、原料油の種類によって適宜調整するとよく、例えば、Ａ重油６０％と酵素水４０％、軽油７０％と酵素水３０％、あるいは、灯油７０％と酵素水３０％といった比率にすることが好ましい。
【００３０】
制御盤２４は、各部を制御する制御部であり、電力供給のＯＮ／ＯＦＦなどの各種制御を実行する。
【００３１】
パルス付与部２５は、攪拌タンク２３で製造された燃料油に振動を与えて残渣物を取りやすくする。残渣物は、例えば反応し切れなかった水、重油中の不純物等である。
【００３２】
ニュートン分離槽２６は、燃料油を貯留して重力によって残渣物を下方へ落とし、上方に残る燃料油を抽出する。  
分離タンク２７は、燃料油からさらに残渣物を分離する。
【００３３】
精密フィルタ部２８は、燃料油からフィルタによって残渣物を取り除く。  
完成タンク２９は、完成した精製燃料油を貯留する。  
排液タンク３０は、パルス付与部２５およびニュートン分離槽２６で発生した排液を貯留する
図３は、攪拌タンク２３の構成を示す構成図である。  
攪拌タンク２３は、略円筒形の攪拌空間４０が設けられ、この攪拌空間４０内に、攪拌器４３（４３Ｌ，４３Ｒ）、及びポンプ４４（４４Ｌ，４４Ｒ）が設けられている。
【００３４】
攪拌器４３は、図示左方の攪拌器４３Ｌが攪拌空間４０内の下方に設けられ、図示右方の攪拌器４３Ｒが攪拌空間４０内の上方に設けられており、それぞれが上下左右に分散配置されている。各攪拌器４３は、ポンプ４４（４４Ｌ，４４Ｒ）が接続されており、このポンプ４４から燃料油、酵素水、あるいは酵素水と油の混合物などが供給される。
【００３５】
ポンプ４４Ｌは、吸入口４１Ｌが上方に配置されたパイプが接続されており、ポンプ４４Ｌが燃料油、酵素水、あるいは酵素水と油の混合物を攪拌器４３Ｌへ送り出すことによって、攪拌空間４０内の燃料油、酵素水、あるいは酵素水と油の混合物などを略均等に循環させている。
【００３６】
ポンプ４４Ｒは、吸入口４１Ｒが下方に配置されたパイプが接続されており、ポンプ４４Ｌが燃料油、酵素水、あるいは酵素水と油の混合物を攪拌器４３Ｌへ送り出すことによって、攪拌空間４０内の燃料油、酵素水、あるいは酵素水と油の混合物などを略均等に循環させている。
【００３７】
このポンプ４４Ｌ，４４Ｒは、いずれも３０圧〜４０圧のポンプを用いることが好ましい。
【００３８】
図４は、攪拌器４３の構成を説明する説明図である。  
攪拌器４３は、内部中空の金属製であり、略円筒形の頭部５１と、その下に続く逆円錐形の胴部５９と、その下の後端部６０とで主に構成されている。
【００３９】
頭部５１の上面中央には、円筒形の中心軸５３が設けられている。この中心軸５３は、上下方向に貫通する流入孔５３ａ（図５参照）が設けられており、この流入孔５３ａから燃料油、酵素水、あるいは酵素水と油の混合物が流入する。
【００４０】
頭部５１の側面の一部には、燃料油、酵素水、あるいは酵素水と油の混合物が流入する流入口５７が設けられている。この流入口５７は、外から内へ貫通する孔であり、円筒形の連結カバー５５で周囲が囲繞されている。連結カバー５５の内面にはネジ溝５６が設けられており、ポンプ４４と連結するパイプが取り付けられる構成になっている。
【００４１】
また、流入口５７の位置および連結カバー５５の向きは、図４（Ｂ）のＡ−Ａ断面図に示すように、攪拌器４３の中心より偏心して内周へ向かって燃料油、酵素水、あるいは酵素水と油の混合物が流入するように構成されている。これにより、流入口５７のから流入した燃料油等が、円筒形の中心軸５３を軸にして効率よく回転する。
【００４２】
図５のＢ−Ｂ断面図に示すように、攪拌器４３の内部には、内周に沿って複数のピン６３が立設されている。この複数のピン６３は、それぞれが交差しないように隙間を空けて配置されている。例えば、０．０３ｍｍのピンを、１０ｍｍ程度の間隔を開けて５５〜８０本設けるとよい。  
攪拌器４３の後端部６０には、排出孔６１が設けられている。
【００４３】
このように構成された攪拌器４３は、油と酵素水を効率よく攪拌して分解反応させることができる。詳述すると、流入口５７から流入した燃料油、酵素水、あるいは酵素水と油の混合物は、中心軸５３の周囲を回転しつ、排出孔６１へ向かって回転半径が徐々に小さくなる竜巻状に移動する。その際、内部に設けられた複数のピン６３によって攪拌される。また、竜巻状に回転することによって、中心軸５３の下方付近に負圧が発生し、これによって流入孔５３ａから燃料油、酵素水、あるいは酵素水と油の混合物が流入する。
【００４４】
すなわち、図３に示した攪拌器４３Ｌは、吸入口４１Ｌから吸入する主に油をポンプ４４Ｌによって流入口５７から取り込み、流入孔５３ａから主に酵素水を取り込んで攪拌する。
【００４５】
これと逆に攪拌器４３Ｒは、吸入口４１Ｒから吸入する主に酵素水をポンプ４４Ｒによって流入口５７から取り込み、流入孔５３ａから主に油を取り込んで攪拌する。
【００４６】
この攪拌器４３により、強力な水圧の中で酵素水と油を激突させて攪拌し、反応させることができる。  
この攪拌器４３を備えた攪拌タンク２３にて所定時間（例えば１５分〜２０分程度）攪拌すると、攪拌器４３内で竜巻状に移動して攪拌されている油と酵素が３００回から５００回接触し、加水分解反応が促進されて分子構造が小さくなり、比重も軽くなる。
【００４７】
図６（Ａ）は、パルス付与部２５に設けられるパルスフィルタ７０の斜視図である。このパルスフィルタ７０は、２つのラインミキサーの間に設けられ、格子状の間仕切り７１の間に形成される孔に燃料油を通過させる。このパルス付与部２５（特に間仕切り７１）は、セラミック焼成体で形成されている。
【００４８】
間仕切り７１は、内部でスクリュー状に緩やかにねじれており、流入してきた燃料油を振動させ、反応を促進させる。これにより、不純物を取り除きやすい状態にすることができる。
【００４９】
図６（Ｂ）は、精密フィルタ部２８に設けられる精密フィルタ８０の斜視図を示す。  
この精密フィルタ８０は、メッシュ状の素材で形成された円筒形の筒部８２の周囲に、中心から放射状に広がるフィルタ８１が設けられている。このフィルタ８１に対して外周から筒部８２内へ向けて燃料油を通過させることで不純物を取り除くことができる。
【００５０】
フィルタ８１は放射状に設けられているため、図６（Ｃ）の一部拡大平面図に示すように、基部側８１ａから先端側８１ｃまでの板状面８１ｂ全体で燃料油を通過させることができる。このため、基部側８１ａに不純物が蓄積してきて通過しづらくなっても、板状面８１ｂで燃料油を問題なく通過させて不純物を取り除くことができる。
【００５１】
図７は、ニュートン分離槽２６の縦断面図を示す。  
ニュートン分離槽２６は、底部付近に設けられた傾斜板９６と、その上方位置に交互に複数設けられた高位板９２と低位板９３とで主に構成され、前段に液体流入口９１が、後段に液体排出口９５が設けられている。
【００５２】
高位板９２は、下端と傾斜板９６の間に空間が設けられており、燃料油が前後へ移動できるように構成されている。
【００５３】
低位板９３は、上端が高位板９２より低く形成されており、貯留している燃料油の上部を溢れさせて隣の貯留部に移動させることができる。この低位板９３は、下端部に可動板９４が設けられており、この可動板９４の下端が傾斜板９６に接触するように構成されている。
【００５４】
高位板９２と低位板９３は、この順で交互に並べて構成されており、傾斜板９６の傾斜に合わせて下端が次々に短くなるように構成されている。
【００５５】
この構成により、液体流入口９１から第１貯留部９０ａに流入した燃料油は、不純物が下方へ蓄積し、精製された燃料油が上方に溜まって次の第２貯留部９０ｂへあふれ出る。これを第１貯留部９０ａから第４貯留部位９０ｄまで繰り返して綺麗になった燃料油は、液体排出口９５から排出される。
【００５６】
各貯留部９０ａ〜９０ｄで沈殿した不純物は、傾斜板９６に沿って下方へ移動する。この際、可動板９４が開いて不純物が下方へ移動することを許容する。なお、この可動板９４は、逆方向には開かないため、不純物が逆流することはない。
【００５７】
傾斜板９６に沿って下方へ移動した不純物は、回収開口部９７からバルブ９９ａを介して回収部９８へ移動し、この回収部９８内に回収される。バルブ９９ａは、間欠的に開閉動作し、ある程度残渣が溜まれば開放して回収部９８に回収し、閉鎖する。このとき、回収部９８の上部付近に設けられた排気バルブ９９ｃより排気される。回収部９８に回収した不純物は、回収バルブ９９ｂから取り出して廃棄等するとよい。
【００５８】
以上に説明した酵素水製造装置１および燃料製造装置２により、油と酵素水を分解反応させた精製燃料油を製造することができる。  
これにより、図８の特徴説明図に示すように、燃料効率の向上と、環境破壊防止に役立つ燃料油を得ることができる。
【００５９】
すなわち、図は、Ａ重油について上述した酵素水製造装置１および燃料製造装置２によって製造した精製燃料油の特性を示すものである。  
この表に示すように、精製燃料油は、ＣＯ２（ＣＯ２残留炭素分）は９９．５％、硫黄酸化物は６３．０％、金属酸化物（灰分）は９８．０％、水分は９６．６７％削減されている。
【００６０】
このように、非常にクリーンで環境破壊防止に役立ち、燃料効率も高い精製燃料油を製造できる。この精製燃料油は、使用する油の絶対量を２０〜３０％削減でき、しかも燃焼効率を２０％〜２５％向上できるため、合計約４０〜５０％の燃料節約を実現することができる。
【００６１】
また、酵素パワーにより、寒冷地（例えば−２０℃までの地域）でも精製燃料油をそのまま使用することができる。
【００６２】
また、この精製燃料油を使ってもエンジンやボイラー内のカーボン付着やノズルの錆びがなく腐食を防止できるため、一般のメンテナンスが殆ど不要となり、メンテナンス費用を削減することができる。
【００６３】
また、完成した精製燃料油は、反応後の酵素によって安定化されるため、時間が経過しても油分と水分が分離しない。  
また、完成した精製燃料油は、透明度が高く、反応した水も燃料として機能するため、燃費を高めることができる。
【００６４】
また、完成した精製燃料油は、酵素の分解機能によりススや黒煙が出ないため、精製燃料油を燃焼させる燃焼機関にススや黒煙が残って性能低下することを防止できる。
【００６５】
また、燃料製造装置２は、有害物質であるＣＯ２、硫黄酸化物、および金属酸化物等を酵素の働きにより容易に分離、除去することができる。  
また、燃料製造装置２は、攪拌器４３により効率よく満遍なく攪拌して酵素による油の加水分解反応を促進することができる。
【００６６】
なお、攪拌器４３は、図９に示すように異なるタイプの攪拌器４３Ａを用いてもよい。この攪拌器４３Ａは、後端部６０に排出孔が設けられていない。そして、上述した実施例の中心軸５３の代わりに中心パイプ５４が設けられている。この中心パイプ５４は、内部に中空部６７を有する円筒形状を有しており、その上端６７ａが燃料油の排出口として機能する。
【００６７】
このように構成された攪拌器４３Ａは、流入口５７から流入した酵素水と油を回転させ、回転半径を小さくしながら竜巻状に下方へ移動させ、中心パイプ５４の下端から上端へ移動して上端から排出される。  
この攪拌器４３Ａも、上述した実施例の攪拌器４３と同一の作用効果を奏することができる。
【００６８】
この発明の構成と、上述の実施形態との対応において、
この発明の分解反応層は、実施形態の攪拌タンク２３に対応し、
以下同様に、
残渣除去部は、パルス付与部２５、ニュートン分離槽２６、分離タンク２７、精密フィルタ部２８に対応し、
攪拌器は、攪拌器４３Ｌ，４３Ｒ，４３Ａに対応し、
流入口は、流入口５７および流入孔５３ａに対応し、
流出口は、排出孔６１に対応し、
ピンは、ピン６３に対応するが、
この発明は、上述の実施形態の構成のみに限定されるものではなく、多くの実施の形態を得ることができる。
【産業上の利用可能性】
【００６９】
この発明は、様々な油の燃料効率向上に利用することができ、例えばＡ重油、Ｂ重油、Ｃ重油、軽油、灯油等に利用することができる。
【符号の説明】
【００７０】
２…燃料製造装置、２３…攪拌タンク、２５…パルス付与部、２６ニュートン分離槽、２７分離タンク、２８精密フィルタ部、４３Ｌ，４３Ｒ，４３Ａ…攪拌器、５３ａ…流入孔、５７…流入口、６１…排出孔、６３…ピン
【要約】
【課題】燃料効率を向上でき、有害物質の発生を抑制するのが容易であり、しかも安定している燃料製造方法および燃料製造装置を提供し、利用者の満足度を向上させ、あわせて環境破壊防止に貢献する。
【解決手段】天然植物性複合酵素を水に混合して作成された酵素水を油と反応させて燃料油を製造する。天然植物性複合酵素は、リパーゼを主とする酵素とし、さらにはセルラーゼを有する酵素とする。また、天然植物性複合酵素にはメタノールも混合する。
【選択図】図２【図１】
0004397432.tif 000002
【図２】
0004397432.tif 000003
【図３】
0004397432.tif 000004
【図４】
0004397432.tif 000005
【図５】
0004397432.tif 000006
【図６】
0004397432.tif 000007
【図７】
0004397432.tif 000008
【図８】
0004397432.tif 000009
【図９】
0004397432.tif 000010